(57)【要約】【課題】熱交換効率の向上を図ることができるようにすること。【解決手段】この発明の浴室暖房措置１１は、浴室内の空気を吸い込むための吸込開口１４と、その吸い込んだ空気を浴室内へ吹き出すための吹出開口１５と、上記吸込開口１４から浴室内の空気を吸い込むとともにこの吸い込んだ空気を吹出開口１５から浴室内へ吹き出させるシロッコファン１３と、この送風機と吹出開口１５との間に配置されその吹出開口から吹き出す空気を暖めるとともに蛇行状に折り曲げられたヒータ１６と、このヒータ１６の輻射熱を浴室に向けて反射させる反射板とを備えた浴室暖房装置において、ヒータ１６の蛇行面を空気の流れる方向に対して傾斜させたものである。【選択図】　図１
2004101117.tif 000002
【特許請求の範囲】
【請求項１】
室内の空気を吸い込むための吸込開口と、その吸い込んだ空気を浴室内へ吹き出すための吹出開口と、前記吸込開口から浴室内の空気を吸い込むとともにこの吸い込んだ空気を前記吹出開口から浴室内へ吹き出させる送風機と、この送風機と前記吹出開口との間に配置されその吹出開口から吹き出す空気を暖めるとともに蛇行状に折り曲げられたヒータと、このヒータの輻射熱を浴室に向けて反射させる反射板とを備えた暖房装置であって、
前記ヒータの蛇行面を空気の流れる方向に対して傾斜させたことを特徴とする浴室暖房装置。
【請求項２】
前記反射板をヒータと同方向に傾斜させたことを特徴とする請求項１に記載の浴室暖房装置。
【請求項３】
前記反射板の傾斜角を可変にしたことを特徴とする請求項２に記載の暖房装置。
【発明の詳細な説明】
【０００１】
【発明の属する技術分野】
この発明は、例えば浴室や脱衣所等を暖房する浴室暖房装置に関する。
【０００２】
【従来の技術】
従来から、図３に示す浴室暖房装置１が知られている。この浴室暖房装置１は、本体ケース２内に設けたシロッコファン３と、蛇行状に折り曲げ加工されたシーズヒータ６と、反射板７等とを備えている。シロッコファン３は風路ケース８内に回転自在に配置されており、風路ケース８にはシーズヒータ６に向けて空気を流す送風開口８Ａが形成されている。
【０００３】
そして、このシロッコファン３の回転により、吸込開口４から浴室内の空気が吸い込まれ、この吸い込まれた空気が風路ケース８の送風開口８Ａからシーズヒータ６に向けて送風される。さらに、この送風された空気が吹出開口５から浴室へ吹き出されていく。この吹出開口５から吹き出される空気はシーズヒータ６によって暖められていることにより浴室の暖房が行われる（特許文献１参照）。
【０００４】
【特許文献１】
特開平１０−３２８４９３号公報（段落００１９、図１）
【０００５】
【発明が解決しようとする課題】
ところで、このような浴室暖房装置１にあっては、シーズヒータ６が蛇行状に折り曲げられているとともに、風路ケース８の送風開口８Ａから送風される空気の流れ方向と平行に配置されている。このため、その空気の流れに対するシーズヒータ６の上流部分６ａが下流部分６ｂに対して空気の流れを遮る状態となり、その下流部分６ｂに当たる風量が少なくなる。このため、シーズヒータ６による熱交換効率が落ちるという問題があった。
【０００６】
そこで、反射板７にスリットを形成するとともに反射板７の後ろに風路ケース８の送風開口８Ａを配置し、そのスリットを介してシーズヒータ６に向けて空気を流すようにしたものがある。
【０００７】
しかし、反射板７にスリットを設けるため、反射板７による輻射熱の反射効率が低下してしまう。この低下を防止するために、スリットの幅を小さくすると、シーズヒータ６に向けて流れる空気の風量が少なくなり、シーズヒータ６の熱交換効率が低下してしまう問題がある。
【０００８】
この発明の目的は、ヒータの熱交換効率を向上させることのできる浴室暖房装置を提供することにある。
【０００９】
【課題を解決するための手段】
上記目的を達成するため、請求項１の発明は、室内の空気を吸い込むための吸込開口と、その吸い込んだ空気を浴室内へ吹き出すための吹出開口と、前記吸込開口から浴室内の空気を吸い込むとともにこの吸い込んだ空気を前記吹出開口から浴室内へ吹き出させる送風機と、この送風機と前記吹出開口との間に配置されその吹出開口から吹き出す空気を暖めるとともに蛇行状に折り曲げられたヒータと、このヒータの輻射熱を浴室に向けて反射させる反射板とを備えた暖房装置であって、
前記ヒータの蛇行面を空気の流れる方向に対して傾斜させたことを特徴とする。
【００１０】
請求項２の発明は、前記反射板をヒータと同方向に傾斜させたことを特徴とする。
【００１１】
請求項３の発明は、前記反射板の傾斜角を可変にしたことを特徴とする。
【００１２】
【発明の実施の形態】
以下、この発明に係る浴室暖房装置の実施の形態を図面に基づいて説明する。
【００１３】
図１に示す浴室暖房装置１１は、下面が開口された筺体状の本体ケース１２と、この本体ケース１２内に設けたシロッコファン（送風機）１３と、シーズヒータ１６と、このシーズヒータ１６の上方に配置された反射板１７等とを備えている。シロッコファン１３は風路ケース１８内に回転自在に配置されており、この風路ケース１８のシロッコファン１３と対向する下面には吸込開口１４が形成されている。
【００１４】
風路ケース１８にはシーズヒータ１６に向けて空気を流す送風開口１８Ａが形成されている。また、シーズヒータ１６と対向する本体ケース１２の開口部１５がシーズヒータ１６によって暖められた空気を浴室内へ吹き出すための吹出開口となっている。
【００１５】
シーズヒータ１６は蛇行状に折り曲げられているとともに、その蛇行面１６Ｓが空気の流れる方向Ｘに対し所定角度傾斜している。このシーズヒータ１６の表面に遠赤外線を放射する素材をコーテイングしてもよい。
【００１６】
反射板１７は、このシーズヒータ１６からの輻射熱を浴室（図示せず）の洗い場へ向けて反射するものである。この反射板１７も空気の流れる方向に対してシーズヒータ１６の蛇行面１６Ｓと同方向に傾斜している。また、反射板１７は図示しない保持部材により本体ケース１２内に取り付けられている。なお、１９は本体ケース１２の下面の開口を覆う化粧板である。
【００１７】
次に、上記のように構成された浴室暖房装置の動作について説明する。
【００１８】
予備暖房モードが選択されると、シロッコファン１３が高速回転し、風路ケース１８の吸込開口１４から浴室の空気が吸い込まれ、この吸い込まれた空気が風路ケース１８の送風開口１８Ａからシーズヒータ１６に向けて送風される。さらに、この送風された空気が吹出開口１５から浴室へ吹き出されていく。この吹出開口１５から吹き出される空気はシーズヒータ１６によって暖められて温風となり、浴室の暖房が行われる。
【００１９】
そして、シーズヒータ１６が蛇行状に折り曲げられているとともに、その蛇行面１６Ｓが風路ケース１８の送風開口１８Ａから送風される空気の流れ方向Ｘに対して傾斜していることにより、シーズヒータ１６の上流側に位置する部分１６ａ，１６ｂが下流側に位置する部分１６ｂ，１６ｃに対し風を遮ることがない。このため、下流側となるシーズヒータ１６の部分１６ｂ，１６ｃにも風路ケース１８の送風開口１８Ａから吹き出す空気が直接当たり、その部分１６ｂ，１６ｃに当たる風量が多くなることになる。このため、シーズヒータ１６の熱交換効率が向上する。
【００２０】
また、入浴暖房モードが選択されると、シロッコファン１３が低速回転となり、反射板１７を冷却する程度の微風となり、シーズヒータ１６の熱によって浴室内が十分に暖まっていない場合であっても、反射板１７がその傾斜の方向が洗い場方向とされていることにより、シーズヒータ１６の輻射熱が反射板１７により洗い場方向に向けて輻射されるので、入浴者が洗い場にいても暖かくなり、しかもシロッコファン１３による送風も微風であることにより寒さを感じないで済むことになる。
【００２１】
図２は、この発明に係る浴室暖房装置の変形例を示すものである。この図２に示すものは、反射板１７の一端を軸２２によって枢支して、反射板１７の傾斜角度を任意に調整することができるようにしたものである。反射板１７の所望位置での固定は、例えば、反射板１７の他端にネジ止部を設け、このネジ止部をネジにより本体ケース１２内に固定する。
【００２２】
【発明の効果】
以上説明したように、この発明によれば、ヒータの蛇行面が空気の流れる方向に対して傾斜しているので、上流側となるヒータの各部が下流側となるヒータの各部に対し風を遮ることがなく、このため、下流側となるヒータの各部に当たる風量を多くすることができ、ヒータの熱交換効率を向上させることができる。
【図面の簡単な説明】
【図１】この発明の一実施の形態に係る浴室暖房装置の構成を示す説明図であって、（Ａ）は平面図、（Ｂ）は側面断面図、（Ｃ）は正面断面図である。
【図２】この発明の他の実施の形態に係る浴室暖房装置の要部の構成を示す側面断面図である。
【図３】従来の浴室暖房装置の構成を示す説明図であって、（Ａ）は平面図、（Ｂ）は側面断面図、（Ｃ）は正面断面図である。
【符号の説明】
１１　浴室暖房装置
１３　　シロッコファン（送風機）
１４　　吸込開口
１５　送風口
１６　シーズヒータ（ヒータ）
１７　反射板
２２　　軸
【図１】
2004101117.tif 000003
【図２】
2004101117.tif 000004
【図３】
2004101117.tif 000005